(57)【要約】【課題】画像の回転表示機能を有するビューアに正立画像を表示させるための情報が付加された画像データを得ることができる画像読取装置を提供する。【解決手段】原稿を読み取って画像データを取得する画像読取部１２と、画像読取部１２が取得した画像データ及び予めＲＯＭが記憶しているテンプレート画像のデータに基づいて、画像データに係る画像の向きを特定する制御部１１とを備える画像読取装置に、画像読取部１２が取得した画像データに制御部１１が特定した画像の向きを示す情報を付加する付加手段を備える。【選択図】図１
2007235749.tif 000002
【特許請求の範囲】
【請求項１】
原稿を読み取って画像データを取得する取得手段と、該取得手段が取得した画像データ及び予め記憶しているテンプレート画像のデータに基づいて、画像データに係る画像の向きを特定する特定手段とを備える画像読取装置において、
前記取得手段が取得した画像データに前記特定手段が特定した画像の向きを示す情報を付加する付加手段を備える
ことを特徴とする画像読取装置。
【請求項２】
前記特定手段による向きの特定の成否を判定する判定手段と、
該判定手段が成功したと判定した場合、前記特定手段が特定した画像の向きを示す情報を記憶する記憶手段と
を備え、
前記付加手段は、
前記判定手段が否と判定した場合、前記記憶手段が記憶している情報を、向きの特定に失敗した画像データに付加するようにしてある
ことを特徴とする請求項１に記載の画像読取装置。
【請求項３】
テンプレート画像のデータを複数記憶しており、
画像の向きを特定するためのテンプレート画像を受け付ける受付手段を備え、
前記特定手段は、
前記受付手段が受け付けたテンプレート画像のデータ及び前記取得手段が取得した画像データに基づいて、画像の向きを特定する手段を備える
ことを特徴とする請求項１又は請求項２に記載の画像読取装置。
【発明の詳細な説明】
【技術分野】
【０００１】
原稿を読み取って画像データを取得する画像読取装置に関する。
【背景技術】
【０００２】
画像読取装置、例えばスキャナは、原稿を読み取って画像データを取得する画像読取部及び該画像読取部へ原稿を自動送出するＡＤＦ(Automatic Document Feeder)を備えている。
画像読取部は、ＡＤＦから送出された原稿に光を照射する光源、原稿からの反射光を光電変換する光電変換素子、例えばラインＣＣＤ(Charge Coupled Device)、ラインＣＣＤで得られたアナログの画像信号をデジタルの画像データにＡ／Ｄ変換するＡ／Ｄ変換部等から構成されている。
画像読取部で読み取られた画像データは、圧縮されてハードディスクに保存される。
【０００３】
このように構成された画像読取装置においては、紙情報を電子情報に変換して保存することができ、画像読取装置の使用者は、画像データの内容をビューアで確認することができる（例えば、特許文献１）。
【特許文献１】特開２００１−１８８４４３号公報
【特許文献２】特開平６−１０３４１０号公報
【発明の開示】
【発明が解決しようとする課題】
【０００４】
しかしながら、従来の画像読取装置においては、原稿の向きが不揃いの場合、ポートレート及びランドスケープの原稿、つまり縦長及び横長の原稿が混在しているような場合、原稿の向きがばらばらのまま画像データに変換及び保存されるため、該画像データの正立画像をビューアで表示させるためには、使用者が手動で画像を９０度、１８０度、又は２７０度回転させる必要があり、画像データの内容確認に手間を要するという問題があった。
【０００５】
本発明は、斯かる事情に鑑みてなされたものであり、取得した画像データに係る画像の向きを特定し、特定した画像の向きを示す情報を前記画像データに付加するように構成することにより、画像の回転表示機能を有するビューアに正立画像を表示させるための情報が付加された画像データを得ることができる画像読取装置を提供することを目的とする。
【０００６】
本発明の他の目的は、画像の向きの特定に成功した場合、画像データの向きを示す情報を記憶しておき、次に取得した画像の向きの特定に失敗した場合、先に記憶した情報を該画像データに付加するように構成することにより、向きの特定が困難な画像、例えば写真の正立画像をビューアに表示させるための情報が付加された画像データを得ることができる画像読取装置を提供することにある。
【０００７】
本発明の他の目的は、複数のテンプレート画像のデータを記憶し、画像の向きを特定するためのテンプレート画像を受け付け、受け付けたテンプレート画像のデータ及び画像データに基づいて、画像の向きを特定するように構成することにより、適切なテンプレート画像にて画像の向きを特定することができる画像読取装置を提供することにある。
【課題を解決するための手段】
【０００８】
本発明に係る画像読取装置は、原稿を読み取って画像データを取得する取得手段と、該取得手段が取得した画像データ及び予め記憶しているテンプレート画像のデータに基づいて、画像データに係る画像の向きを特定する特定手段とを備える画像読取装置において、前記取得手段が取得した画像データに前記特定手段が特定した画像の向きを示す情報を付加する付加手段を備えることを特徴とする。
【０００９】
本発明にあっては、特定手段は、取得手段が取得した画像データ及び予め記憶しているテンプレート画像に基づいて、該画像データに係る画像の向きを特定する。そして、付加手段は、取得手段によって取得された画像データに特定手段が特定した画像の向きを示す情報を付加する。
従って、画像データに係る画像を正立させてビューアに表示させるための情報が付加された画像データを得ることができる。
【００１０】
本発明に係る画像読取装置は、前記特定手段による向きの特定の成否を判定する判定手段と、該判定手段が成功したと判定した場合、前記特定手段が特定した画像の向きを示す情報を記憶する記憶手段とを備え、前記付加手段は、前記判定手段が否と判定した場合、前記記憶手段が記憶している情報を、向きの特定に失敗した画像データに付加するようにしてあることを特徴とする。
【００１１】
本発明にあっては、特定手段による画像の向きの特定の成否を判定手段が判定し、判定手段が成功したと判定した場合、記憶手段は特定手段が特定した画像の向きを示す情報を記憶する。
そして、判定手段が否と判定した場合、つまり画像の向きの特定に失敗した場合、付加手段は、先に記憶手段が記憶した情報を付加する。
従って、同一方向を向いた画像を連続して取得している場合、画像の向きの特定に失敗しても、正しい画像の向きを示した情報が付加された画像データを得ることができる。
【００１２】
本発明に係る画像読取装置は、テンプレート画像のデータを複数記憶しており、画像の向きを特定するためのテンプレート画像を受け付ける受付手段を備え、前記特定手段は、前記受付手段が受け付けたテンプレート画像のデータ及び前記取得手段が取得した画像データに基づいて、画像の向きを特定する手段を備えることを特徴とする。
【００１３】
本発明にあっては、受付手段は、複数のテンプレート画像の中から、画像の向きを特定するためのテンプレート画像を受け付ける。そして、特定手段は、受付手段が受け付けたテンプレート画像のデータ及び画像データに基づいて、画像の向きを特定する。
従って、テンプレート画像を適切に選択することにより、画像の向きを正確に特定することがき、正確に特定された画像の向きを示す情報が付加された画像データを得ることができる。
【発明の効果】
【００１４】
本発明にあっては、画像の回転表示機能を有するビューアに正立画像を表示させるための情報が付加された画像データを得ることができる。
【００１５】
本発明にあっては、画像の向きの特定が困難な画像、例えば写真の正立画像をビューアに表示させるための情報が付加された画像データを得ることができる。
【００１６】
本発明にあっては、適当なテンプレート画像にて画像の向きを特定することができ、特定された画像の向きを示す情報を画像データに付加することができる。
【発明を実施するための最良の形態】
【００１７】
以下、本発明をその実施の形態を示す図面に基づいて詳述する。
（実施の形態１）
図１は、本発明の実施の形態１に係る複合機１の構成を示すブロック図である。
図中１１は、ＣＰＵを備えた制御部である。複合機１は、原稿を読み取り、原稿の画像データを取得する画像読取部１２、及び取得した画像データを一時的に蓄積する画像メモリ１５を備えており、制御部１１は、バス２４を介して画像読取部１２による画像データの取得を制御する。
【００１８】
バス２４には、ＲＯＭ１３及びＲＡＭ１４が接続されており、ＲＯＭ１３は、複合機１の各種ハードウェアの動作を制御して、スキャナ機能、プリンタ機能、ファクシミリ機能等を実現する種々の制御プログラムを格納している。また、ＲＯＭ１３は、画像の向きを特定するための複数組の文字テンプレート画像のデータを記憶している。例えば、ひらがなの文字テンプレート画像、アルファベットの文字テンプレート画像等のデータを記憶している。
ＲＡＭ１４は、プログラムの実行時に発生する一時的なデータを記憶する。
【００１９】
制御部１１は、具体的にはＭＰＵ(Micro Processor Unit)で構成されており、バス２４を介して複合機１のハードウェア各部と接続されている。制御部１１は、ハードウェア各部を制御すると共に、ＲＯＭ１３に格納された制御プログラムに従って、スキャナ機能、プリンタ機能、ファクシミリ機能等を実現する。
【００２０】
画像読取部１２は、光電変換素子、例えばＣＣＤ３１、ＡＦＥ(Analog Front End:アナログフロントエンド)３２、Ａ／Ｄ変換器３３、画像処理回路３４等を有している。
【００２１】
ＡＦＥ３２は、ＣＣＤ３１で得られたアナログの画像信号に、オフセット処理、増幅処理等の各種の処理を施し、Ａ／Ｄ変換器３３は、アナログの画像信号をデジタルの画像データに変換する。画像処理回路３４は、Ａ／Ｄ変換器３３から出力される画像データに対して、シェーディング補正、ガンマ補正、エッジ強調、２値化等の各処理を施す。この画像読取部１２は、読み取り階調モードとして、２値モード、擬似中間調モード及び多値モードを含んでおり、これらの３種の読み取り階調モードからユーザの入力設定により指定された一つの読み取り階調モードにより、原稿の読み取り処理を行う。
【００２２】
画像メモリ１５は、ＤＲＡＭ等で構成され、原稿の画像を読み取って得られる画像データ、ファクシミリ機から受信した画像データ、バス２４に接続されたＬＡＮインタフェース２３を介して外部の装置から受信した画像データ等を記憶する。
【００２３】
また、複合機１は、バス２４に接続された記録部１７を備えている。記録部１７は、電子写真方式のプリンタ装置であって、画像読取部１２にて読み取った原稿の画像データ、受信した画像データ等に応じた画像を用紙に印刷する。
【００２４】
更に、複合機１は、ファクシミリ通信にて画像データを送受信するためのＮＣＵ(Network Control Unit)２１及びモデム２０、並びに符号化・復号化部１６を備えており、制御部１１は、バス２４を介して原稿の読み取り、画像データの送受信、画像の印刷を制御することで、ファクシミリ機能を実現する。
【００２５】
符号化・復号化部１６は、送受信される画像データを所定の符号化方式、例えばＭＨ，ＭＲ，ＭＭＲ等の符号化方式に従って符号化及び復号化する機能を備えている。
【００２６】
モデム２０は、バス２４に接続されており、符号化・復号化部１６で符号化されて画像メモリ１５に蓄えられた画像データをアナログの信号に変調する機能、公衆電話回線網(PSTN:Public Switched Telephone Network)から入力されたアナログの画像データをデジタルの画像データに復調する機能を備えている。
【００２７】
ＮＣＵ２１は、公衆電話回線網との回線Ｌ１の閉結及び開放の動作を行うハードウェアであり、制御部１１の制御に応じてモデム２０とＰＳＴＮとを接続する。そして、ＮＵＣ及びＰＳＴＮは、変調された画像データのファクシミリ通信による送受信を実行する。
【００２８】
更にまた、複合機１は、バス２４に接続されており、複合機１を操作するための表示部１９及び操作部１８、並びに画像データを記憶するハードディスク２２を備えている。
表示部１９は、複合機１の動作状態、複合機１を操作するためのソフトキーを表示する液晶ディスプレイを備えている。
操作部１８は、表示部１９に対向配置された抵抗膜方式、又は静電容量方式のタッチパネルを備え、表示部１９に表示されたソフトキーの操作を受け付け、制御部１１がタッチパネルの操作状態を検出することができるように構成されている。
また、操作部１８は、スタートキー、リセットキー、ファクシミリ番号、印刷部数等を受け付けるためのテンキー、機能選択キー等を備えている。
【００２９】
図２は、画像読取部１２の構成を示す略示側断面図である。
画像読取部１２は、略直方体型の筐体４１と、筐体４１上面の一辺に開閉自在に取り付けられたプラテンカバー４２と、筐体４１上面に設けられたプラテンガラス４３とを備えている。そして、ＦＢＳ(Flat Bed Scanner)方式の読み取りが可能であり、プラテンカバー４２を開けて原稿の読み取り面をプラテンガラス４３に対向させて原稿を載置し、プラテンカバー４２を閉じて原稿の画像を読み取る。
【００３０】
プラテンカバー４２の上面にはＡＤＦ方式の原稿取込部４４が設けられており、プラテンカバー４２が閉じられた状態で所定の載置台上に置かれた原稿束から原稿が１枚ずつ分離されて取り込まれる。取り込まれた原稿は、プラテンカバー４２に設けられた取込口４５から搬送され、排出口４６からプラテンカバー４２上面の排出トレイに排出される。この搬送中の所定の読み取り位置で原稿の画像が読み取られる。この読み取り位置に対向して筐体４１の上面にはコンタクトガラス４７が設けられている。
【００３１】
筐体４１の内部には、原稿の画像を読み取るための光源ユニット５１、ミラーユニット５２及び読取ユニット５３が設けられており、光源ユニット５１及びミラーユニット５２を利用することにより、原稿の画像を読取ユニット５３に読み取らせる。読取ユニット５３は、結像レンズ５４及びＣＣＤ３１を有しており、光源ユニット５１及びミラーユニット５２を通過した原稿からの反射光を、結像レンズ５４を介して読取用ラインセンサとしてのＣＣＤ３１に結像させる。
【００３２】
光源ユニット５１は、プラテンガラス４３またはコンタクトガラス４７へ光を照射する露光ランプからなる光源５５と、原稿からの反射光を反射するミラー５６とを有している。ミラーユニット５２は、ミラー５６で光路を９０度変更された光の光路を更に１８０度変更するために反射面が互いに直交するように配置された一対のミラー５７、ミラー５８を有している。光源ユニット５１及びミラーユニット５２は、プラテンガラス４３の面と平行に、モータ５９によって移動する。
【００３３】
プラテンカバー４２のコンタクトガラス４７に対向する位置には、白い板からなるバックプレート６０が設けられている。また、筐体４１の上面内壁には白い板からなるシェーディングプレート（白色基準板）６１が設けられている。
【００３４】
図３は、画像データの取得に係る制御部１１の処理手順を示すフローチャートである。
スキャナ機能が選択されて、スタートキーが操作された場合、制御部１１は、画像の向きを特定するための文字テンプレート画像を受け付ける（ステップＳ１１）。
具体的には、制御部１１は、操作部１８の操作状態を検出することで、複数組の文字テンプレート画像、例えばアルファベットの文字テンプレート画像、ひらがなの文字テンプレート画像等の中から、一の文字テンプレート画像を受け付ける。
【００３５】
次いで、制御部１１は、画像読取部１２により原稿を読み取って画像データを取得する（ステップＳ１２）。そして、制御部１１は、取得した画像データに係る画像の向きを示す角度θの特定に係るサブルーチンを呼び出し、画像の角度θを特定する（ステップＳ１３）。
【００３６】
図４は、画像の角度θの特定に係るサブルーチンの処理手順を示すフローチャートである。
角度θの特定に係るサブルーチンが呼び出された場合、制御部１１は、角度αに０を設定する（ステップＳ３１）。但し、αは変数である。
【００３７】
そして、画像データから複数の文字画像を抽出する（ステップＳ３２）。例えば、画像データに係る画像を所定の閾値にて２値化し、論理フィルタリングによって平滑化した上で、ラベリング処理、連結図形解析等によって文字画像を抽出する。
【００３８】
次いで、制御部１１は、ステップＳ１１で受け付けた文字テンプレート画像のデータをＲＯＭ１３から読み出し、文字テンプレート画像を時計回りに−α度回転させる（ステップＳ３３）。そして、制御部１１は、ステップＳ３２で抽出した文字画像と、−α度回転させた文字テンプレート画像とを比較し、文字テンプレート画像に一致した文字数を特定する（ステップＳ３４）。一致しているか否かは、例えば、文字画像と文字テンプレート画像とのユークリッド距離、即ち文字画像の画素値を要素とするベクトルと、文字テンプレート画像の画素値を要素とするベクトルとの距離が所定値未満であるか否かで判断する。
【００３９】
次いで、制御部１１は、特定された文字数を角度αと対応付けて記憶する（ステップＳ３５）。そして、制御部１１は、角度αが２７０であるか否かを判定する（ステップＳ３６）。角度αが２７０でないと判定した場合（ステップＳ３６：ＮＯ）、制御部１１は、角度αに９０を加算し（ステップＳ３７）、処理をステップＳ３３へ戻す。
【００４０】
角度αが２７０であると判定した場合（ステップＳ３６：ＹＥＳ）、制御部１１は、ステップＳ３４で特定された文字数が所定数以上であるか否かを判定する（ステップＳ３８）。所定数以上であると判定した場合（ステップＳ３８：ＹＥＳ）、特定された文字数が最大の角度αを代入した角度θを記憶し（ステップＳ３９）、サブルーチンの処理を終える。所定数未満であると判定した場合（ステップＳ３８：ＮＯ）、制御部１１は、角度θを特定できない旨を記憶し（ステップＳ４０）、サブルーチンの処理を終える。
【００４１】
角度θの特定に係るサブルーチンの処理を終えた場合、図３に示すように、制御部１１は、取得した画像データを所定形式の画像データに変換する。例えばＰＤＦ形式の画像データに変換する（ステップＳ１４）。
そして、制御部１１は、角度θの特定に成功したか否かを判定する（ステップＳ１５）。ステップＳ４０で角度θを特定できない旨を記憶した場合、角度θの特定に失敗したと判定し、その旨を記憶していない場合、成功したと判定する。角度θの特定に成功したと判定した場合（ステップＳ１５：ＹＥＳ）、制御部１１は、特定された角度θを示す角度情報を画像データに付加し（ステップＳ１６）、該角度情報を一時記憶する（ステップＳ１７）。
【００４２】
角度θの特定に失敗したと判定した場合（ステップＳ１５：ＮＯ）、制御部１１は、ステップＳ１７で画像データに付加した角度情報を記憶しているか否かを判定する（ステップＳ１８）。画像データに付加した角度情報を記憶していると判定した場合（ステップＳ１８：ＹＥＳ）、制御部１１は、記憶している角度情報を画像に付加する（ステップＳ１９）。
【００４３】
ステップＳ１７若しくはステップＳ１９の処理を終えた場合、又は角度情報を記憶していないと判定した場合（ステップＳ１８：ＮＯ）、制御部１１は、画像データをハードディスク２２に記憶させる（ステップＳ２０）。
【００４４】
次いで、制御部１１は、全画像データを取得したか否かを判定する（ステップＳ２１）。例えば、ＡＤＦにセットされた原稿を読み取る場合、ＡＤＦに設けられた図示しないセンサにて原稿の有無を検出し、原稿を検出した場合、未取得の画像データがあると判定する。
取得していない画像データがあると判定した場合（ステップＳ２１：ＮＯ）、制御部１１は、処理をステップＳ１２へ戻す。全画像データを所得したと判定した場合（ステップＳ２１：ＹＥＳ）、制御部１１は、処理を終える。
【００４５】
図５は、画像読取部１２にて読み取られた画像及び角度情報の説明図である。
図５（ａ）に示すようなポートレートの画像、図５（ｂ）、（ｃ）に示すようなランドスケープの画像、及び図５（ｄ）に示すような写真の画像に係る画像データを縦長画像の画像データとして取得した場合を説明する。
【００４６】
まず、図５（ａ）に示す画像は、正立しているため、文字テンプレート画像を回転させない方が、文字テンプレート画像を回転させた場合に比べて、パターンマッチする文字数が多く、画像の角度θ＝０が特定される。従って、図５（ａ）に示す画像に係る画像データには、角度θ＝０を示す角度情報が付加され、ハードディスク２２に記憶される。また、該角度情報がＲＡＭ１４に書き込まれる。
【００４７】
図５（ｂ）、（ｃ）に示す画像は、反時計回りに９０度回転しているため、文字テンプレート画像を−９０度回転させた場合、パターンマッチする文字数が最大になり、画像の角度θ＝９０が特定される。従って、図５（ｂ）、（ｃ）に示す画像に係る画像データには、角度θ＝９０を示す角度情報が付加され、ハードディスク２２に記憶される。また、同様に、角度θ＝９０を示す角度情報がＲＡＭ１４に書き込まれる。
【００４８】
図５（ｄ）に示す画像は、文字を含まない写真の画像であるため、文字テンプレート画像にパターンマッチする文字数は所定数未満になり、角度θが特定されない。この場合、前回画像データを取得した場合に特定され、ＲＡＭ１４に書き込まれた角度情報、つまり角度θ＝９０を示す角度情報が、図５（ｄ）に示す画像に係る画像データに付加され、ハードディスク２２に記憶される。
【００４９】
画像データに付加された角度情報によって該画像データに係る画像を回転表示可能なビューアに複合機１が取得した画像データを与えた場合、図５（ａ）に示す画像は、そのまま表示され、図５（ｂ）、（ｃ）、（ｄ）に示す画像は、時計回りに９０度回転され、表示される。
【００５０】
従って、正立画像を表示させるために手動で画像を回転させることを必要としない画像データを得ることができる。
【００５１】
図６は、画像読取部１２にて読み取られた画像及び複数組の文字テンプレート画像で特定された角度情報の説明図である。
図６（ａ）に示すように、ひらがな及びアルファベットが混在したランドスケープの画像を、横長画像の画像データとして取得した場合を説明する。図６中、ひらがな部分は、時計回りに９０度回転した状態であり、アルファベット部分は１８０度回転した状態にある。
ステップＳ１１の処理で、ひらがなの文字テンプレート画像を受け付けた場合、ひらがなの文字テンプレート画像にて画像の角度θを特定する。ひらがな部分は、時計回りに９０度回転した状態にあるため、文字テンプレート画像を−２７０度回転させた場合、パターンマッチする文字数が最大になる。従って、角度θ＝２７０が特定される。
【００５２】
一方、ステップＳ１１の処理で、アルファベットの文字テンプレート画像を受け付けた場合、アルファベットの文字テンプレート画像にて画像の角度θを特定する。アルファベット部分は、時計回りに１８０度回転した状態にあるため、文字テンプレート画像を−１８０度回転させた場合、パターンマッチする文字数が最大になる。従って、角度θ＝１８０が特定される。
【００５３】
このように構成された複合機１にあっては、画像の回転表示機能を有するビューアに正立画像を表示させるための情報が付加された画像データを得ることができる。
【００５４】
また、画像の向きの特定が困難な画像、例えば写真に係る画像を正立させて表示するための情報が付加された画像データを得ることができる。
【００５５】
更に、選択された適当な文字テンプレート画像にて画像の向きを特定することができ、特定された画像の向きを示す情報を画像データに付加することができる。
【００５６】
なお、実施の形態にあっては、１枚の原稿から一の画像データを取得する場合を説明したが、画像の一部の画像データと他の部分の画像データとを夫々抽出し、抽出された各画像データの画像の向きを特定し、特定した向きを示す情報を付加するように構成しても良い。
例えば、見開き原稿の左半分の画像に係る画像データと、右半分の画像に係る画像データとを分けて取得し、夫々の画像データに画像の向きを示す角度情報を付加するように構成しても良い。
【００５７】
図７は、画像読取部にて読み取られた見開き原稿の画像及び角度情報の説明図である。
図７（ａ）に示すように、原稿の左半分の画像部分は正立画像であり、原稿の右半分の画像部分は反時計回りに９０度回転した画像である。
変形例に係る制御部は、図７（ｂ）に示すように左半分の画像部分に係る画像データを抽出し、該画像データに角度θ＝０を示す角度情報を付加する。また、原稿の右半分の画像部分に係る画像データを抽出し、該画像データに角度θ＝９０を示す角度情報を付加する。
【００５８】
このように構成された複合機にあっては、向きが異なる画像部分からなる原稿を読み取る場合であっても、各画像部分を正立画像として表示することを可能にする角度情報を各画像データに付加することができる。
【図面の簡単な説明】
【００５９】
【図１】本発明の実施の形態１に係る複合機の構成を示すブロック図である。
【図２】画像読取部の構成を示す略示側断面図である。
【図３】画像データの取得に係る制御部の処理手順を示すフローチャートである。
【図４】画像の角度θの特定に係るサブルーチンの処理手順を示すフローチャートである。
【図５】画像読取部にて読み取られた画像及び角度情報の説明図である。
【図６】画像読取部にて読み取られた画像及び複数組の文字テンプレート画像で特定された角度情報の説明図である。
【図７】画像読取部にて読み取られた見開き原稿の画像及び角度情報の説明図である。
【符号の説明】
【００６０】
１  複合機
１１  制御部
１２  画像読取部
１３  ＲＯＭ
１４  ＲＡＭ
１５  画像メモリ
１８  操作部
１９  表示部
２２  ハードディスク
２４  バス
３１  ＣＣＤ
３２  ＡＦＥ
３３  Ａ／Ｄ変換器
３４  画像処理回路
４１  筐体
４２  プラテンカバー
４３  プラテンガラス
４４  原稿取込部
４５  取込口
４６  排出口
４７  コンタクトガラス
５１  光源ユニット
５２  ミラーユニット
５３  読取ユニット
５４  結像レンズ
５５  光源
５９  モータ
６０  バックプレート
【図１】
2007235749.tif 000003
【図２】
2007235749.tif 000004
【図３】
2007235749.tif 000005
【図４】
2007235749.tif 000006
【図５】
2007235749.tif 000007
【図６】
2007235749.tif 000008
【図７】
2007235749.tif 000009